(57)【要約】【課題】            ループを形成し、ロック状態とすると、そのロック状態は外衝や工具を用いて外すことができず、しかも、破断個所が特定されており、その破断がなされると復元することは不可能となるセキュリティ効果の大きく、また、温度や湿度の環境に対しても強度を保つことができる封緘具は存在していなかったという点である。【解決手段】プラスチックで構成されたループ成形材の一端に係合部を備えた挿し込み部を有し、他端に前記挿し込み部が挿し込まれ、前記した係合部を係止してロックする係止部を備えた受部を有する封緘具において、前記した受部はフラット板体の一方面端部に位置され、前記した挿し込み部は、前記フラット板体の基端と直交配置された第二のフラット板体の端部に、前記受部の受口開口と所定の角度を持って挿し込み方向が規制されて位置され、前記したフラット板体の基端近傍には破断用の透孔が形成されていることとする。【選択図】          図１
2014091564.tif 000002
【特許請求の範囲】
【請求項１】
プラスチックで構成されたループ成形材の一端に係合部を備えた挿し込み部を有し、他端に前記挿し込み部が挿し込まれ、前記した係合部を係止してロックする係止部を備えた受部を有する封緘具において、前記した受部はフラット板体の一方面端部に位置され、前記した挿し込み部は、前記フラット板体の基端と直交配置された第二のフラット板体の端部に、前記受部の受口開口と所定の角度を持って挿し込み方向が規制されて位置され、前記したフラット板体の基端近傍には破断用の透孔が形成されていることを特徴とする封緘具。
【請求項２】
前記した受部は前記したフラット板体の一方端部を拡張部とし、その拡張部に位置されていることを特徴とする請求項１に記載の封緘具。
【請求項３】
前記した挿し込み部は、前記した第二のフラット板体に連続する支持部に直交方向で位置されていることを特徴とする請求項１または２に記載の封緘具。
【請求項４】
前記した受部には窓孔が形成され、受口開口は略凸字状とされ、前記した窓孔の一部と、対向する内壁面に形成された係止爪を係止部としてあることを特徴とする請求項１から３のうち１項に記載の封緘具。
【請求項５】
前記した挿し込み部は前記した窓孔の一部と係合する、上面をテーパ面とした係合突起と、内方に向け押し縮み、係合片と係合するスナップ片とより成ることを特徴とする請求項４に記載の封緘具。
【請求項６】
前記した受部の外壁面と拡張部とは、略三角状の補強リブが形成されていることを特徴とする請求項１から５のうち１項に記載の封緘具。
【請求項７】
前記した挿し込み部の基部には摘んで操作が行ない易いように両側にテーパ面が設けられていることを特徴とする請求項１から６のうち１項に記載の封緘具。
【請求項８】
前記した拡張部には各単品ごとに独自の識別表示が施されていることを特徴とする請求項１から７のうち１項に記載の封緘具。
【請求項９】
一部に、識別表示としてＩＣチップを搭載していることを特徴とする請求項１から８のうち１項に記載の封緘具。
【発明の詳細な説明】
【技術分野】
【０００１】
本発明は封緘具に関し、特に、一旦ロック状態とすると外衝または作用によってロックが外れる虞や切断されてしまう虞がなく、一度破断してしまうと再使用を不可能としてセキュリティ効果の高い封緘具に関する。
【背景技術】
【０００２】
従来、封緘具としてプラスチックで構成されたものは種々知られているが、ループを形成してロック状態とした時に、そのロックが外衝や工具による作業で外すことが可能なものが多く、また、一度外しても使用状態を復元することができるものが多く存在している。
【０００３】
封緘具を、例えば現金輸送用の鞄に使用する場合、鞄には錠をかけ、さらに、封緘具を付けて二重に鞄の無断開放を防衛することがなされているが、錠を解ける鍵を持っており、封緘具もロックを外せ、復元可能な場合、その保金が非常に危うくなってしまう。
【先行技術文献】
【特許文献】
【０００４】
出願人は、本願発明について、先行する技術文献を調査したが、格別に本願発明と関連し、類似していると思われるものは発見できなかった。
【発明の概要】
【発明が解決しようとする課題】
【０００５】
本発明が解決しようとする問題点は、ループを形成し、ロック状態とすると、そのロック状態は外衝や工具を用いて外すことができず、しかも、破断個所が特定されており、その破断がなされると復元することは不可能となるセキュリティ効果の大きく、また、温度や湿度の環境に対しても強度を保つことができる封緘具は存在していなかったという点である。
【課題を解決するための手段】
【０００６】
上記した問題点を解決するために、本発明に係る封緘具はプラスチックで構成されたループ成形材の一端に係合部を備えた挿し込み部を有し、他端に前記挿し込み部が挿し込まれ、前記した係合部を係止してロックする係止部を備えた受部を有する封緘具において、前記した受部はフラット板体の一方面端部に位置され、前記した挿し込み部は、前記フラット板体の基端と直交配置された第二のフラット板体の端部に、前記受部の受口開口と所定の角度を持って挿し込み方向が規制されて位置され、前記したフラット板体の基端近傍には破断用の透孔が形成されていることを特徴としている。
【０００７】
また、本発明に係る封緘具は前記した受部は前記したフラット板体の一方端部を拡張部とし、その拡張部に位置されていることを特徴とし、前記した挿し込み部は、前記した第二のフラット板体に連続する支持部に直交方向で位置されていることを特徴とし、前記した受部には窓孔が形成され、受口開口は略凸字状とされ、前記した窓孔の一部と、対向する内壁面に形成された係止爪を係止部としてあることを特徴としている。
【０００８】
さらに、本発明に係る封緘具は前記した挿し込み部は前記した窓孔の一部と係合する、上面をテーパ面とした係合突起と、内方に向け押し縮み、係合片と係合するスナップ片とより成ることを特徴とし、前記した受部の外壁面と拡張部とは、略三角状の補強リブが形成されていることを特徴とし、前記した挿し込み部の基部には摘んで操作が行ない易いように両側にテーパ面が設けられていることを特徴とし、前記した拡張部には各単品ごとに独自の識別表示が施されていることを特徴とし、一部に、識別表示としてＩＣチップを搭載していることを特徴としている。
【発明の効果】
【０００９】
本発明に係る封緘具は上記のように構成されている。ループ成形材として、通例のファイバーに代え、フラット板を使用し、しかもそのフラット板を二種、長手方向で直交させてあり、しかも、挿し込み部を受部に挿し込みロック状態とするためには、さらに、前記ループ成形材に捻りを加えて行うこととなり、ループ成形材の強度が向上し、カッターを用いても切断することは困難となり、ロック個所も衝撃や工具を用いて外すことはできない。
【００１０】
しかも、破断個所は格別に設定してあり、一旦破断すると復元は不可能となる。また、単一の封緘具には各々独自のシリアルナンバーが与えられることで当初の封緘具を変更して使用することもでき得なくなり、非常にセキュリティ効果が高く、強靭なものとなり、温度や湿度の環境でその強度が劣化してしまうこともなく、寒冷地や高温地での使用も影響がない。
【図面の簡単な説明】
【００１１】
【図１】本発明を実施した封緘具をアッセンブリとして示す正面図である。
【図２】側面図である。
【図３】挿し込み部の平面図である。
【図４】受部の受口開口を示す図である。
【図５】挿し込み部の拡大平面図である。
【図６】挿し込み部と受部を対向させ、挿し込み前の状態を示す底面図である。
【図７】一部断面側面図である。
【図８】ロック状態を示す一部断面側面図である。
【発明を実施するための形態】
【００１２】
図面として示し、実施例で説明したように構成したことで実現した。
【実施例１】
【００１３】
次に、本発明の好ましい実施の一例を図面を参照して説明する。図中１は本発明に係る封緘具を示し、図１は、この封緘具１、１‥を複数（実施例では１０本）、まとめて型成形したアッセンブリとして示してあり、連結バー２に連結ピン３、３を介して後述する挿し込み部を一体的に連結されており、後述するフラット板体の拡張部間をスポット接続４、４‥としてバラ付きを抑止している。
【００１４】
封緘具１は強靭なプラスチック、例えばポリプロピレンによって構成されたループ成形材５を有しており、このループ成形材５は第一のフラット板体６を備えている。この第一のフラット板体６は長手方向の中程から幅方向を左右対称に弧状に拡張した拡張部７を一体に形成している。
【００１５】
この拡張部７の一方面に先端部分には受部８が一体に形成されている。この受部８は、その幅を拡張部７の先端幅と略同一としたもので、その先端面に受口９を開口しているもので、正面側には矩形の窓孔１０が設けられている。受口９の形状は略凸字とされており、左右に後述する挿し込み部の左右縁が挿入時ガイドとされるガイド溝１１、１１が形成されている。
【００１６】
また、受口９からの奥方底面には後述する挿し込み部の底面をガイドし、その先端を上方へ導く、後方が高くなったガイド突条１２が形成されている。さらに、前記した受口９の開口寄り底面には、後述する挿し込み部のスナップ片の先端が係合される係合突条１３が左右方向に一体に形成されている。受部８の内側外壁面と拡張部６とは略三角状をした補強リブ１４によって強化されている。
【００１７】
また、前記した第一のフラット板部６の後端にはボール状とした接続部１５を介して、第一のフラット板部６の長手方向と直交して第二のフラット板部１６が一体に設けられている。この第二のフラット板部１６の他端には、さらに、ボール状とした接続部１７を介して、挿し込み部１８の支持部１９が一体に設けられており、この支持部１９は第二のフラット板部１６の長手方向と直交し、第一のフラット板部６と平行となる薄板であり、一方側縁を膨出させて幅広としている。
【００１８】
前記した挿し込み部１８は支持部１９のストレートとした側面下方にその支持部１９に対し、直角方向に設けられている。そして、その挿し込み部１８の基部は支持部１９の前後面に形成された摘み操作部２０、２０と一体となっている。この摘み操作部２０、２０は、挿し込み部１８方向に向いて徐々に幅を大きくするテーパ面を外面に形成してあり、押し込み作業を行ない易くしている。
【００１９】
挿し込み部１８は矩形の板状となっており、その幅は前記受口９のガイド溝１１、１１に沿うサイズとなっている。この挿し込み部１８の上面部には先方が徐々に高さが小さくなるテーパ面を上面に形成した係止部２１が一体に設けられており、挿し込み部１８が受部８の受口９に挿し込まれ、奥まで押し込まれると、この係合部２１が窓孔１０の外寄り開口縁と係合することとなる。
【００２０】
また、挿し込み部１８の下面部には、先端が固着され、後端を遊端としてバネ性を保有するスナップ片２２が一体に設けられている。挿し込み部１８が受部８の受口９に挿し込まれ、奥まで挿し込まれると、このスナップ片２２はガイド突条によって押し縮められて進行し、最終的にそのバネ性で係合突条１３と係合する。このスナップ片２２と係止部２１とのダブル係合によって、ロック状態はより強固なものとされる。尚、挿し込み部１８の受口９への挿し込みは、その挿し込み部１８の両縁がガイド溝１１、１１によって方向性を導かれ、挿し込み作業がガタ付いてしまう虞はない。
【００２１】
さらに、支持部１９の挿し込み部１８の形成基部には略三角状の補強用リブ２３が形成されて、挿し込み部１８を強化し、また、この挿し込み部１８に形成されたスナップ片２２の下方には支持突条２４が形成されており、スナップ片２２の遊端のみが有効にバネ作用するように構成され、そのスナップ片２２の形成基端を補強している。
【００２２】
そして、前記した第一のフラット板体６の接続部１５近傍には破断のための透孔２５が設けられており、封緘具１のループロック状態を解除し、取り除く際は、この透孔２５部分で破断することとなり、この破断が一旦行われると、封緘具１は復元し、再使用することは不可能となる。
【００２３】
また、前記した拡張部７の背面側にはアルファベットと数字を組み合せたシリアルナンバー等の表示を印刷あるいは刻印することもでき、単品ごとの管理ができ、さらに、拡張部７の任意個所にアッセンブリのうちの何番目かを示す表示を設けることで、複数本のアッセンブリにおける単品管理も可能となる。加えて、任意の個所にＩＣチップを搭載して管理することもできる。
【００２４】
本実施例に係る封緘具は上記のように構成されている。ここで、その使用方法を説明すると、連結バー２から単品としての封緘具１を、連結ピン３及びスポット接続４を切断して取り外し、目的の個所にループ成形材５を通し、受部８の受口９に挿し込み部１８を摘み操作部２０を挟み持って挿し込み、押し込むことでロック状態とされる。この挿し込み作業は受口９と挿し込み部１８の幅方向が本実施例では直交状態となるので、９０度の捻りをループ成形材５に与えることで行われる。この捻りを加えることでループ成形材５の強靭性も向上する。
【産業上の利用可能性】
【００２５】
本実施例に係る封緘具は上記のように構成され、本実施例では挿し込み部１８を第二のフラット板部１６の先端に接続部１７を介して支持部１９を設け、その支持部１９に対し、直交方向に設けてあるが、第二のフラット板部１６の先端に幅広の支持部を断面Ｌ字状に形成し、その支持部の外端面に挿し込み部１８を設けることもできる。この場合、挿し込み部１８の方向性は第二のフラット板部１６と平行となり、第一のフラット板部６とは直交方向となるもので、この場合もループ成形材５に９０度の捻りを与えてロックすることとなるのは同様である。
【００２６】
また、この挿し込み部１８の取り付け方向性は受口９に対し、９０度ではなく、４５度や６０度等、任意の角度とすることも可能である。
【符号の説明】
【００２７】
１    封緘具
２    連結バー
３    連結ピン
４    スポット接続
５    ループ成形材
６    第一のフラット板部
７    拡張部
８    受部
９    受口
１０  窓孔
１１  ガイド溝
１２  ガイド突条
１３  係止部
１４，２３  補強リブ
１５，１７  接続部
１６  第二のフラット板部
１８  挿し込み部
１９  支持部
２０  摘み操作部
２１  係合部
２２  スナップ片
２４  支持突条
２５  透孔
【図１】
2014091564.tif 000003
【図２】
2014091564.tif 000004
【図３】
2014091564.tif 000005
【図４】
2014091564.tif 000006
【図５】
2014091564.tif 000007
【図６】
2014091564.tif 000008
【図７】
2014091564.tif 000009
【図８】
2014091564.tif 000010